(57)【要約】【課題】マグネットの磁力で扉閉状態を保持する構成でマグネットが錆びにくい宅配ボックスを提供することである【解決手段】宅配ボックス１２は、荷物室１４を有するボックス本体１３と、ボックス本体に回動可能に取り付けられた扉とを含み、荷物の収納前の待機時においてマグネット２５の磁力により扉閉状態を保持する。マグネットは、マグネット取付ケース２０に形成された収納溝に収納される。収納溝にマグネットが収納された状態で、ボックス本体の扉設置側端部に形成された取付孔１３ｂにマグネット取付ケース２０が取り付けられた際に、マグネットがボックス本体に接触し、マグネットは、ボックス本体に、扉または扉に取り付けた金属部分を磁力で吸着させる。【選択図】図６
2020120867.tif 000002
【特許請求の範囲】
【請求項１】
荷物室を有するボックス本体と、前記荷物室を塞ぐように前記ボックス本体に回動可能に取り付けられた扉とを備え、荷物の収納前の待機時においてマグネットの磁力により扉閉状態を保持する宅配ボックスであって、
前記マグネットは、マグネット取付ケースに形成された収納溝に収納され、
前記収納溝に前記マグネットが収納された状態で、前記ボックス本体の前記扉設置側端部に形成された取付孔に前記マグネット取付ケースが取り付けられた際に、前記マグネットが前記ボックス本体に接触し、前記マグネットは、前記ボックス本体に、前記扉または前記扉に取り付けた金属部分を磁力で吸着させる、
宅配ボックス。
【請求項２】
請求項１に記載の宅配ボックスにおいて、
前記マグネット取付ケースは、前記扉に取り付けられたラッチと係止するラッチ受けを含む、
宅配ボックス。
【発明の詳細な説明】
【技術分野】
【０００１】
本開示は、宅配ボックスに関する。
【背景技術】
【０００２】
従来から、一般家庭等で使用され、宅配荷物を無人で受け取り可能な宅配ボックスが知られている。この宅配ボックスでは、宅配業者が荷物室に荷物を入れた後に、扉の開放を禁止する。荷物の受取人が、鍵を鍵穴部に入れて施錠装置を解錠した場合に、扉が開放可能となる。荷物の出し入れについての待機時において、扉は、荷物室を有するボックス本体に、マグネット（磁石）の磁力で吸着させて扉閉状態を保持する場合がある。
【０００３】
特許文献１には、収納キャビネットの内側にマグネットを有する開閉保持部材（マグネットキャッチ）を固設し、そのマグネットと磁力で吸着される金属片を、扉に固設したプッシュ式の扉構造が記載されている。扉の閉止状態において扉を手で前方側から押圧し、扉から手を離すことにより、開閉保持部材がバネ力で前側に突出し、その突出力により扉が前側に押し出されて扉を開放できるとされている。
【先行技術文献】
【特許文献】
【０００４】
【特許文献１】実開平２−７９７８１号公報
【発明の概要】
【発明が解決しようとする課題】
【０００５】
宅配ボックスにおいて、特許文献１に記載された扉構造と同様に、マグネットを有する構造で扉閉状態を保持する場合がある。しかしながら、扉または扉に取り付けた金属部分をマグネットで吸着させるために扉側にマグネットが露出していると、宅配ボックスを屋外に設置して使用する場合に扉開状態でマグネットが外気に露出して、マグネットが錆びる可能性がある。
【０００６】
本開示の目的は、マグネットの磁力で扉閉状態を保持する構成でマグネットが錆びにくい宅配ボックスを提供することである。
【課題を解決するための手段】
【０００７】
本開示の宅配ボックスは、荷物室を有するボックス本体と、荷物室を塞ぐようにボックス本体に回動可能に取り付けられた扉とを備え、荷物の収納前の待機時においてマグネットの磁力により扉閉状態を保持する宅配ボックスであって、マグネットは、マグネット取付ケースに形成された収納溝に収納され、収納溝にマグネットが収納された状態でボックス本体の扉設置側端部に形成された取付孔にマグネット取付ケースが取り付けられた際に、マグネットがボックス本体に接触し、マグネットは、ボックス本体に、扉または扉に取り付けた金属部分を磁力で吸着させる、宅配ボックスである。
【発明の効果】
【０００８】
本開示に係る宅配ボックスによれば、マグネットの磁力で扉閉を保持するためにマグネットを扉側に露出させる必要がなくなる。これにより、マグネットの磁力で扉閉状態を保持する構成でマグネットが錆びにくくなる。
【図面の簡単な説明】
【０００９】
【図１】実施形態の宅配ボックスの斜視図である。
【図２】図１に示す宅配ボックスから扉を取り除いて示す斜視図である。
【図３】実施形態において、扉を荷物室側から見た斜視図である。
【図４】図３のＡ部拡大図である。
【図５】宅配ボックスにおいて、荷物を収容した状態から伝票への押印及び施錠を行い、その後、扉を開放して、荷物を取り出す方法を示す概念図である。
【図６】図２のＢ部拡大図である。
【図７】図６からマグネット取付ケースと、マグネットとを取り出して示す斜視図である。
【図８】図６のＣ矢視図である。
【発明を実施するための形態】
【００１０】
以下、図面を用いて本開示の実施形態を説明する。以下で説明する形状、材料及び個数は、説明のための例示であって、宅配ボックスの仕様に応じて適宜変更することができる。以下ではすべての図面において同等の要素には同一の符号を付して説明する。また、本文中の説明においては、必要に応じてそれ以前に述べた符号を用いるものとする。また、以下の説明において、左右方向は、宅配ボックスを扉閉状態で扉に向かって見た場合の左右方向をいう。
【００１１】
図１は、実施形態の宅配ボックス１２の斜視図である。図２は、宅配ボックス１２から扉１６を取り除いて示す斜視図である。図３は、扉１６を荷物室１４（図２）側から見た斜視図である。図４は、図３のＡ部拡大図である。宅配ボックス１２は、一般家庭等で使用され、宅配荷物を無人で受け取り可能である。宅配ボックス１２は、ユーザとしての宅配業者が荷物を入れた状態で扉１６の開放を禁止するために用いられる。
【００１２】
宅配ボックス１２は、荷物室１４を有する略直方体状のボックス本体１３と、荷物室１４を塞ぐようにボックス本体１３に回動可能に取り付けられた扉１６とを備える。荷物室１４は、荷物１００（図５）を出し入れ可能に収容可能な略直方体の箱状である。ボックス本体１３は、樹脂により形成される。ボックス本体１３の外側面に樹脂製のカバーを取り付けることもできる。
【００１３】
扉１６は、荷物室１４の前側Ｆ（図１、図２）の開口１５（図２）を塞いでいる。扉１６はボックス本体１３に取り付けられる片開き型であり、開口１５を塞ぐようにボックス本体１３に回動可能に取り付けられる。このために、扉１６の左右方向一端部（図３の左端部）の上下両端のそれぞれにはヒンジピン１７が上下方向に突出しており、それぞれのヒンジピン１７が、ボックス本体１３の開口１５（図２）の左右方向一端部（図２の右端部）の上下両端に形成されたヒンジ穴（図示せず）に挿入されて係止される。図３では、扉１６の下端部におけるヒンジピンの図示を省略している。ヒンジ穴は、ボックス本体１３に取り付けたヒンジ本体に形成することもできる。これによって、扉１６は、ボックス本体１３に、左右方向一端部を中心に回動可能に取り付けられる。
【００１４】
また、宅配ボックス１２は、荷物１００の収納前の待機時において後述のマグネット２５（図６〜図８）の磁力により扉閉状態を保持する。
【００１５】
扉１６は、施錠装置４０により施錠される。施錠装置４０は、扉１６に取り付けられたベースプレート４１、内側部分が回転可能な鍵穴部４３、鍵穴部４３の内側部分に固定されたアームピン（図示せず）と係止可能なレバーロック４５（図３）とを含む。さらに施錠装置４０は、上下移動可能なレバー４７（図１）と、レバー４７の押し下げによりレバー４７が当たって揺動するドアロック４９（図３、図４）とを含む。レバー４７は、バネ（図示せず）により上側に付勢される。レバーロック４５は、レバー４７と連動して上下移動する。鍵穴部４３、レバーロック４５、レバー４７、及びドアロック４９は、ベースプレート４１に支持される。レバー４７の上端部、鍵穴部４３及びベースプレート４１の一部は、それぞれ扉１６の前側Ｆに露出する。図３、図４ではレバー４７の図示を省略している。ベースプレート４１の扉前側Ｆに露出した部分には、伝票１０２を差し込み可能なスリット５１が形成される。ドアロック４９は、ベースプレート４１の荷物室側に取り付けられたドアロック支持金具５３に支持される。ドアロック支持金具５３は、鉄、鋼等の磁性金属製である。レバー４７の押し下げによりレバー４７の下端がドアロック４９の上端に当たると、ドアロック４９は、ドアロック支持金具５３の扉開放端側（図４の右側）の第１板部５４ａから先端の係止部５０が突出するように揺動する。図４は、係止部５０が第１板部５４ａから突出した状態を示している。
【００１６】
レバー４７が押し下げられたとき、レバー４７にリンク機構（図示せず）を介して連結されたスタンプケース５５が、スリット５１側（図４の右側）に移動する。スタンプケース５５には受領印を押印可能なスタンプ手段５６が保持される。これにより、スリット５１に挿入された伝票に、受領印を押印することが可能である。鍵穴部４３の施錠状態でレバー４７及びレバーロック４５が押し下げられた場合には、バネの付勢力によりレバー４７が上側に移動する傾向となるが、鍵穴部４３に固定されたアームピンに係止されることで、レバー４７の上側への移動が阻止される。この状態で、ドアロック４９の係止部５０がドアロック支持金具５３の第１板部５４ａから外側に突出し、ボックス本体１３に取り付けた後述の図６〜図８に示すマグネット取付ケース２０の係止穴２０ａに係止部５０が係止され、その状態が保持される。これにより、扉１６の開放が禁止される。ドアロック４９は、扉１６に取り付けられたラッチに相当する。ドアロック支持金具５３は、扉１６に取り付けた金属部分に相当する。例えば、ドアロック支持金具５３は扉１６に取り付けられたベースプレート４１にネジにより取り付けられる。
【００１７】
さらに、ドアロック支持金具５３の第１板部５４ａと略直角で、第１板部５４ａの扉開放端側に連続する第２板部５４ｂ（図４）は、ボックス本体１３に取り付けられた後述のマグネット２５（図６〜図８）の磁力で、ボックス本体１３の一部に吸着される。このマグネット２５は、後述のマグネット取付ケース２０に支持され、ボックス本体１３の荷物室１４、外面及び扉１６側の何れにも露出しない。これにより、後述のように、マグネット２５が錆びにくくなる。
【００１８】
上記の施錠装置４０を有する宅配ボックス１２は、次のように荷物１００（図５）の受取を行う。図５は、宅配ボックス１２において、荷物１００を収容した状態から伝票１０２への押印及び施錠を行い、その後、扉１６を開放して、荷物１００を取り出す方法を示す概念図である。
【００１９】
例えば、宅配業者が宅配ボックス１２に荷物を預ける場合には、予め鍵穴部４３が施錠されており、宅配業者が荷物室１４に荷物を入れて扉１６を閉じ、スリット５１に伝票１０２を差し込んだ状態で、レバー４７（図１）を押し下げると、扉１６の開放が禁止される。これと同時に、伝票１０２に受領印が押される。荷物の受取人が帰宅して、鍵を鍵穴部４３に入れて施錠装置４０を解錠した場合には、レバー４７がバネの付勢力で上側に戻って、扉１６の開放が可能となる。このとき、荷物の受取人は、例えば、施錠装置４０において扉１６の前側に露出した部分に形成された扉穴１６ａ（図１）に指をかけて、マグネット２５（図６〜図８）の磁力に抗して扉１６を開放することができる。扉１６の開放後、荷物の受取人は、荷物室１４から荷物１００を取り出すことができる。
【００２０】
次に、宅配ボックス１２の待機時において磁力により扉閉状態を保持するマグネット２５及びマグネット取付ケース２０（図６〜図８）と、ボックス本体１３におけるマグネット取付ケース２０の取付方法とを説明する。
【００２１】
図６は、図２のＢ部拡大図である。図７は、図６からマグネット取付ケース２０と、マグネット２５とを取り出して示す斜視図である。図８は、図６のＣ矢視図である。
【００２２】
図６に示すように、マグネット取付ケース２０は、マグネット２５を収納し、ボックス本体１３の扉１６設置側端部にマグネット２５を配置するために用いられる。図７、図８に示すように、マグネット取付ケース２０は、略直方体のブロック状のケース本体２１と、ケース本体２１の左右方向に対応する第１方向の一端（図７の右端、図８の紙面の表側端）に連続して、ケース本体２１より外側に広がるように形成された矩形状である板部２３とを含む。マグネット取付ケース２０には、板部２３の第１方向一端面に開口し第１方向に延びる断面矩形の係止穴２０ａが形成される。係止穴２０ａには、ドアロック４９（図４）の係止部５０（図４）が挿入されて係止される。係止穴２０ａは、ラッチ受けに相当する。
【００２３】
ケース本体２１において、前側Ｆに面する側面２１ａの上側部分には、マグネット２５を収納可能な収納溝２１ｂが形成される。収納溝２１ｂは、断面Ｕ字形であり、第１方向他端（図７の左端）がケース本体２１の第１方向側面に開口する。
【００２４】
マグネット２５は、円柱状であり、中心軸方向に沿って磁化される。マグネット２５は、例えばネオジム磁石である。マグネット２５は、フェライト磁性体製としてもよい。
【００２５】
ケース本体２１における収納溝２１ｂの上下方向幅は、マグネット２５の外径と同じかそれより少し大きい。収納溝２１ｂの第１方向長さは、マグネット２５の外径と同じかそれより少し大きい。マグネット２５は、収納溝２１ｂに、中心軸方向端面２５ａが前側Ｆに面するように嵌め込んで収納される。この状態で、ケース本体２１の前側Ｆの側面２１ａとマグネット２５の中心軸方向端面２５ａとが面一になることが好ましい。マグネット取付ケース２０は、例えば樹脂により形成される。
【００２６】
マグネット２５は、後述のようにボックス本体１３へマグネット取付ケース２０を取り付けたときに、収納溝２１ｂから脱落しなければ、収納溝２１ｂに固定しなくてもよい。なお、収納溝２１ｂにマグネット２５を接着等により固定してもよい。
【００２７】
一方、ボックス本体１３の荷物室１４における左右方向他端（図２、図６の左端）の側面１３ａにおいて、開口１５付近の扉１６設置側端部には断面矩形の取付孔１３ｂ（図６、図８）が形成される。図８では、分かり易くするために、ボックス本体１３を砂地部で示している。取付孔１３ｂの断面形状は、マグネット取付ケース２０が、ほぼがたつきなく挿入可能となるように、ケース本体２１の収納溝２１ｂを除く外形における矩形形状とほぼ合致する。収納溝２１ｂにマグネット２５が収納された状態で、ケース本体２１が取付孔１３ｂに挿入され、板部２３の外周部の内側面が、ボックス本体１３の側面１３ａに接触する。この状態で、マグネット取付ケース２０の板部２３外周部の複数位置に形成した孔（図示せず）にネジ２６（図８）を貫通させて、そのネジ２６により板部２３を、ボックス本体１３の側面１３ａに結合する。これにより、マグネット取付ケース２０が取付孔１３ｂに取り付けられる。この際に、マグネット２５の中心軸方向端面２５ａは、ボックス本体１３における取付孔１３ｂの内側の板部１３ｃ（図６、図８）の内側面に接触する。この状態で、マグネット２５は、ボックス本体１３の荷物室１４及び外面及び扉側の何れにも露出しない。また、マグネット２５は、板部１３ｃに、扉１６に取り付けられたドアロック支持金具５３（図４）を磁力で吸着可能とする。図２では、板部１３ｃにおいて裏側にマグネット２５（図６〜図８）が対向する部分を、黒地で塗りつぶした部分Ｐにより示している。図８に示すマグネット２５の中心軸方向端面２５ａが接触する板部１３ｃの厚みｄは、例えば１ｍｍ程度である。これにより、扉１６の閉鎖状態では、マグネット２５は、図８に二点鎖線で示すドアロック支持金具５３の第２板部５４ｂを、マグネット２５と対向する板部１３ｃに磁力で吸着させる。このため、宅配ボックス１２において、荷物１００（図５）の収納前の待機時においてマグネット２５の磁力により扉閉状態が保持される。また、このとき、マグネット２５と扉１６との設置距離を所定の大きさである厚みｄに維持できる。
【００２８】
上記の宅配ボックス１２によれば、マグネット取付ケース２０の収納溝２１ｂにマグネット２５が収納された状態でボックス本体１３の扉１６設置側端部に形成された取付孔１３ｂにマグネット取付ケース２０が取り付けられた際に、マグネット２５がボックス本体１３に接触する。また、マグネット２５は、ボックス本体１３に、扉１６に取り付けたドアロック支持金具５３を磁力で吸着させる。これにより、マグネット２５の磁力で扉閉を保持するためにマグネット２５を扉１６側に露出させる必要がなくなる。このため、マグネット２５の磁力で扉閉状態を保持する構成でマグネット２５が錆びにくくなる。
【００２９】
また、マグネット取付ケース２０は、扉１６に取り付けられたドアロック４９と係止する係止穴２０ａを含んで構成される。これにより、メンテナンス時に、宅配ボックス１２の内部から係止穴２０ａを有する部分とマグネット２５とを一体で取り外すことができるので、メンテナンス性に優れるとともに、部品点数の削減により製造コストを低減でき、さらに組立性を向上できる。
【００３０】
なお、上記の実施形態において、マグネット取付ケース２０に形成した係止穴２０ａの内側に棒等の係止部を形成し、その係止部にドアロック４９の係止部５０を係止してもよい。また、ボックス本体１３において取付孔１３ｂを含む板部の裏側に、ケース本体２１を受け入れ可能で、マグネット２５に面する部分に底板部がある直方体状のカバーを取り付けてもよい。これにより、収納溝２１ｂからのマグネット２５の脱落を防止しやすくなる。また、実施形態ではラッチに相当するドアロック４９が扉１６の開放を禁止しているが、扉に取り付けたハンドルの操作によりラッチがラッチ受けから外れるように移動する構成としてもよい。
【００３１】
また、扉自体を金属製として、マグネットは、ボックス本体１３に、扉１６自体を磁力で吸着させてもよい。
【符号の説明】
【００３２】
１２  宅配ボックス、１３  ボックス本体、１３ａ  側面、１３ｂ  取付孔、１３ｃ  板部、１４  荷物室、１５  開口、１６  扉、１６ａ  扉穴、１７  ヒンジピン、２０  マグネット取付ケース、２０ａ  係止穴、２１  ケース本体、２１ａ  側面、２１ｂ  収納溝、２３  板部、２５  マグネット、２５ａ  中心軸方向端面、２６  ネジ、４０  施錠装置、４１  ベースプレート、４３  鍵穴部、４５  レバーロック、４７  レバー、４９  ドアロック、５０  係止部、５１  スリット、５３  ドアロック支持金具、５４ａ  第１板部、５４ｂ  第２板部、５５  スタンプケース、５６  スタンプ手段。
【図１】
2020120867.tif 000003
【図２】
2020120867.tif 000004
【図３】
2020120867.tif 000005
【図４】
2020120867.tif 000006
【図５】
2020120867.tif 000007
【図６】
2020120867.tif 000008
【図７】
2020120867.tif 000009
【図８】
2020120867.tif 000010